(57)【特許請求の範囲】
【請求項１】
無線通信システムにおける第１のｅＮＢ（ｅＮｏｄｅＢ）によりセル形成指示を送信する方法であって、前記方法は、
前記第１のｅＮＢにより、能動アンテナシステム（ＡＡＳ）で前記第１のｅＮＢにより管理されるセルのセル形成を指示するセル形成指示を第２のｅＮＢに送信することと、
前記セル形成指示が前記第２のｅＮＢに送信された後に、前記第１のｅＮＢにより、前記セルの前記セル形成を実行することと、
前記第１のｅＮＢにより管理されるセルのセル形成解除を、前記セルの前記セル形成を実行した後に実行することを決定することと、
前記セルの前記セル形成解除を実行することを決定した直後に前記第２のｅＮＢからハンドオーバ要求メッセージを受信することと、
前記ハンドオーバ要求メッセージに応答して、前記セルの前記セル形成解除を指示する原因情報を含むハンドオーバ用意失敗メッセージを送信することと
を含み、
前記セル形成指示は、前記セルの前記セル形成が実行されることを指示し、
前記セル形成は、前記セルの主カバレッジは変わらずに維持されるが、前記セルの境界は負荷要求に適応させられることができることを意味し、
前記セル形成解除は、前記セルのカバレッジが原カバレッジへ戻ることを意味する、方法。
【請求項２】
無線通信システムにおける第１のｅＮＢ（ｅＮｏｄｅＢ）によりセル形成解除指示を送信する方法であって、前記方法は、
前記第１のｅＮＢにより管理されるセルのセル形成解除を、前記セルのセル形成を実行した後に実行することを決定することと、
前記セルの前記セル形成解除を実行することを決定した直後に第２のｅＮＢからハンドオーバ要求メッセージを受信することと、
前記ハンドオーバ要求メッセージに応答して、前記セルの前記セル形成解除を指示する原因情報を含むハンドオーバ用意失敗メッセージを送信することと、
前記第１のｅＮＢにより、前記セルのセル形成解除を実行することと、
前記第１のｅＮＢにより、能動アンテナシステム（ＡＡＳ）で前記第１のｅＮＢにより管理される前記セルのセル形成解除を指示するセル形成解除指示を前記第２のｅＮＢに送信することと
を含み、
前記セルの前記セル形成解除が完了したことを前記セル形成解除指示が指示する場合に、前記セルの前記セル形成解除は、前記第２のｅＮＢに前記セル形成解除指示を送信する前に実行され、
前記セルの前記セル形成解除が実行されることを前記セル形成解除指示が指示する場合に、前記セルの前記セル形成解除は、前記第２のｅＮＢに前記セル形成解除指示を送信した後に実行され、
前記セル形成は、前記セルの主カバレッジは変わらずに維持されるが、前記セルの境界は負荷要求に適応させられることができることを意味し、
前記セル形成解除は、前記セルのカバレッジが原カバレッジへ戻ることを意味する、方法。
【請求項３】
前記セルの前記セル形成解除を実行することと、
セル形成解除指示を前記第２のｅＮＢに送信することと
をさらに含み、
前記セルの前記セル形成解除が完了したことを前記セル形成解除指示が指示する場合に、前記セルの前記セル形成解除は、前記第２のｅＮＢに前記セル形成解除指示を送信する前に実行される、請求項１に記載の方法。
【請求項４】
セル形成解除指示を前記第２のｅＮＢに送信することと、
前記セルの前記セル形成解除を実行することと
をさらに含み、
前記セルの前記セル形成解除が実行されることを前記セル形成解除指示が指示する場合に、前記セルの前記セル形成解除は、前記第２のｅＮＢに前記セル形成解除指示を送信した後に実行される、請求項１または３に記載の方法。
【発明の詳細な説明】
【技術分野】
【０００１】
本発明は、無線通信に関し、より詳しくは、無線通信システムにおけるセル形成（ｃｅｌｌ  ｓｈａｐｉｎｇ）指示を送信する方法及び装置に関する。
【背景技術】
【０００２】
ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）は、ヨーロッパシステム（Ｅｕｒｏｐｅａｎ  ｓｙｓｔｅｍ）、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）及びＧＰＲＳ（ｇｅｎｅｒａｌ  ｐａｃｋｅｔ  ｒａｄｉｏ  ｓｅｒｖｉｃｅｓ）に基づいてＷＣＭＤＡ（ｗｉｄｅｂａｎｄ  ｃｏｄｅ  ｄｉｖｉｓｉｏｎ  ｍｕｌｔｉｐｌｅ  ａｃｃｅｓｓ）で動作する３世代（３ｒｄ  ｇｅｎｅｒａｔｉｏｎ）非同期（ａｓｙｎｃｈｒｏｎｏｕｓ）移動通信システムである。ＵＭＴＳのＬＴＥ（ｌｏｎｇ−ｔｅｒｍ  ｅｖｏｌｕｔｉｏｎ）がＵＭＴＳを標準化する３ＧＰＰ（３ｒｄ  ｇｅｎｅｒａｔｉｏｎ  ｐａｒｔｎｅｒｓｈｉｐ  ｐｒｏｊｅｃｔ）により議論中である。
【０００３】
３ＧＰＰ  ＬＴＥは、高速パケット通信を可能にするための技術である。ＬＴＥ目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００４】
図１は、ＬＴＥシステムの構造を示す。通信ネットワークは、ＩＭＳ及びパケットデータを介したインターネット電話（Ｖｏｉｃｅ  ｏｖｅｒ  ｉｎｔｅｒｎｅｔ  ｐｒｏｔｏｃｏｌ：ＶｏＩＰ）のような多様な通信サービスを提供するために広く設置される。
【０００５】
図１を参照すると、ＬＴＥシステム構造は、一つ以上の端末（ＵＥ）１０、Ｅ−ＵＴＲＡＮ（ｅｖｏｌｖｅｄ−ＵＭＴＳ  ｔｅｒｒｅｓｔｒｉａｌ  ｒａｄｉｏ  ａｃｃｅｓｓ  ｎｅｔｗｏｒｋ）及びＥＰＣ（ｅｖｏｌｖｅｄ  ｐａｃｋｅｔ  ｃｏｒｅ）を含む。端末１０は、ユーザにより動く通信装置である。端末１０は、固定されてもよいし、移動性を有してもよく、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）等、他の用語で呼ばれることもある。
【０００６】
Ｅ−ＵＴＲＡＮは、一つ以上のｅＮＢ（ｅｖｏｌｖｅｄ  ｎｏｄｅ−Ｂ）２０を含むことができ、一つのセルに複数の端末が存在できる。ｅＮＢ２０は、制御平面（ｃｏｎｔｒｏｌ  ｐｌａｎｅ）とユーザ平面（ｕｓｅｒ  ｐｌａｎｅ）の終端点を端末に提供する。ｅＮＢ２０は、一般的に端末１０と通信する固定局（ｆｉｘｅｄ  ｓｔａｔｉｏｎ）を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。一つのｅＮＢ２０は、セル毎に配置されることができる。ｅＮＢ２０のカバレッジ内に一つ以上のセルが存在できる。一つのセルは、１．２５、２．５、５、１０及び２０ＭＨｚなどの帯域幅のうち一つを有するように設定され、複数の端末にダウンリンク（ＤＬ；ｄｏｗｎｌｉｎｋ）またはアップリンク（ＵＬ；ｕｐｌｉｎｋ）送信サービスを提供することができる。このとき、互いに異なるセルは、互いに異なる帯域幅を提供するように設定されることができる。
【０００７】
以下、ＤＬはｅＮＢ２０から端末１０への通信を意味し、ＵＬは端末１０からｅＮＢ２０への通信を意味する。ＤＬにおいて、送信機はｅＮＢ２０の一部であり、受信機は端末１０の一部である。ＵＬにおいて、送信機は端末１０の一部であり、受信機はｅＮＢ２０の一部である。
【０００８】
ＥＰＣは、制御平面の機能を担当するＭＭＥ（ｍｏｂｉｌｉｔｙ  ｍａｎａｇｅｍｅｎｔ  ｅｎｔｉｔｙ）、ユーザ平面の機能を担当するＳ−ＧＷ（ｓｙｓｔｅｍ  ａｒｃｈｉｔｅｃｔｕｒｅ  ｅｖｏｌｕｔｉｏｎ（ＳＡＥ）  ｇａｔｅｗａｙ）を含むことができる。ＭＭＥ／Ｓ−ＧＷ３０は、ネットワークの終端に位置し、外部ネットワークと接続される。ＭＭＥは、端末のアクセス情報や端末の能力に対する情報を有し、このような情報は、主に端末の移動性管理に使われることができる。Ｓ−ＧＷは、Ｅ−ＵＴＲＡＮを終端点として有するゲートウェイである。ＭＭＥ／Ｓ−ＧＷ３０は、セッションの終端点と移動性管理機能を端末１０に提供する。ＥＰＣは、ＰＤＮ（ｐａｃｋｅｔ  ｄａｔａ  ｎｅｔｗｏｒｋ）−ＧＷ（ｇａｔｅｗａｙ）をさらに含むことができる。ＰＤＮ−ＧＷは、ＰＤＮを終端点として有するゲートウェイである。
【０００９】
ＭＭＥは、ｅＮＢ２０へのＮＡＳ（ｎｏｎ−ａｃｃｅｓｓ  ｓｔｒａｔｕｍ）シグナリング、ＮＡＳシグナリングセキュリティ、ＡＳ（ａｃｃｅｓｓ  ｓｔｒａｔｕｍ）セキュリティ制御、３ＧＰＰアクセスネットワーク間の移動性のためのｉｎｔｅｒ  ＣＮ（ｃｏｒｅ  ｎｅｔｗｏｒｋ）ノードシグナリング、アイドルモード端末到達可能性（ページング再送信の制御及び実行を含む）、トラッキング領域リスト管理（アイドルモード及び活性化モードである端末のために）、Ｐ−ＧＷ及びＳ−ＧＷ選択、ＭＭＥ変更と共にハンドオーバのためのＭＭＥ選択、２Ｇまたは３Ｇ  ３ＧＰＰアクセスネットワークへのハンドオーバのためのＳＧＳＮ（ｓｅｒｖｉｎｇ  ＧＰＲＳ  ｓｕｐｐｏｒｔ  ｎｏｄｅ）選択、ローミング、認証、専用ベアラ設定を含むベアラ管理機能、ＰＷＳ（ｐｕｂｌｉｃ  ｗａｒｎｉｎｇ  ｓｙｓｔｅｍ：地震／津波警報システム（ＥＴＷＳ）及び商用モバイル警報システム（ＣＭＡＳ）含む）メッセージ送信サポートなどの多様な機能を提供する。Ｓ−ＧＷホストは、各々のユーザに基づいてパケットフィルタリング（例えば、深層的なパケット検査を介して）、合法的遮断、端末ＩＰ（ｉｎｔｅｒｎｅｔ  ｐｒｏｔｏｃｏｌ）アドレス割当、ＤＬでトランスポートレベルパッキングマーキング、ＵＬ／ＤＬサービスレベル課金、ゲーティング及び等級強制、ＡＰＮ−ＡＭＢＲに基づくＤＬ等級強制の各種機能を提供する。明確性のために、ＭＭＥ／Ｓ−ＧＷ３０は、単に“ゲートウェイ”で表現し、これはＭＭＥ及びＳ−ＧＷを両方とも含むことができる。
【００１０】
ユーザトラフィック送信または制御トラフィック送信のためのインターフェースが使われることができる。端末１０及びｅＮＢ２０は、Ｕｕインターフェースにより接続されることができる。ｅＮＢ２０は、Ｘ２インターフェースにより相互間接続されることができる。隣接ｅＮＢ２０は、Ｘ２インターフェースによるメッシュネットワーク構造を有することができる。ｅＮＢ２０は、Ｓ１インターフェースによりＥＰＣと接続されることができる。ｅＮＢ２０は、Ｓ１−ＭＭＥインターフェースによりＭＭＥと接続されることができ、Ｓ１−ＵインターフェースによりＳ−ＧＷと接続されることができる。Ｓ１インターフェースは、ｅＮＢ２０とＭＭＥ／Ｓ−ＧＷ３０との間に多対多関係（ｍａｎｙ−ｔｏ−ｍａｎｙ−ｒｅｌａｔｉｏｎ）をサポートする。
【００１１】
図２は、一般的なＥ−ＵＴＲＡＮ及びＥＰＣの構造を示す。  図２を参照すると、ｅＮＢ２０は、ゲートウェイ３０に対する選択、ＲＲＣ（ｒａｄｉｏ  ｒｅｓｏｕｒｃｅ  ｃｏｎｔｒｏｌ）活性（ａｃｔｉｖａｔｉｏｎ）中のゲートウェイ３０へのルーティング（ｒｏｕｔｉｎｇ）、ページングメッセージのスケジューリング及び送信、ＢＣＨ（ｂｒｏａｄｃａｓｔ  ｃｈａｎｎｅｌ）情報のスケジューリング及び送信、ＵＬ及びＤＬから端末１０へのリソースの動的割当、ｅＮＢ測定の設定（ｃｏｎｆｉｇｕｒａｔｉｏｎ）及び提供（ｐｒｏｖｉｓｉｏｎｉｎｇ）、無線ベアラ制御、ＲＡＣ（ｒａｄｉｏ  ａｄｍｉｓｓｉｏｎ  ｃｏｎｔｒｏｌ）及びＬＴＥ活性状態で接続移動性制御機能を遂行することができる。前記のように、ゲートウェイ３０は、ＥＰＣでページング開始、ＬＴＥアイドル状態管理、ユーザ平面の暗号化、ＳＡＥベアラ制御及びＮＡＳシグナリングの暗号化と完全性保護機能を遂行することができる。
【００１２】
図３は、ＬＴＥシステムのユーザ平面プロトコルスタック及び制御平面プロトコルスタックのブロック図である。図３−（ａ）は、ＬＴＥシステムのユーザ平面プロトコルスタックのブロック図であり、図３−（ｂ）は、ＬＴＥシステムの制御平面プロトコルスタックのブロック図である。
【００１３】
端末とＥ−ＵＴＲＡＮとの間の無線インターフェースプロトコルの階層は、通信システムで広く知られたＯＳＩ（ｏｐｅｎ  ｓｙｓｔｅｍ  ｉｎｔｅｒｃｏｎｎｅｃｔｉｏｎ）モデルの下位３個階層に基づいてＬ１（第１の階層）、Ｌ２（第２の階層）及びＬ３（第３の階層）に区分される。端末とＥ−ＵＴＲＡＮとの間の無線インターフェースプロトコルは、水平的には、物理階層、データリンク階層（ｄａｔａ  ｌｉｎｋ  ｌａｙｅｒ）及びネットワーク階層（ｎｅｔｗｏｒｋ  ｌａｙｅｒ）に区分されることができ、垂直的には、制御信号送信のためのプロトコルスタック（ｐｒｏｔｏｃｏｌ  ｓｔａｃｋ）である制御平面（ｃｏｎｔｒｏｌ  ｐｌａｎｅ）とデータ情報送信のためのプロトコルスタックであるユーザ平面（ｕｓｅｒ  ｐｌａｎｅ）とに区分されることができる。無線インターフェースプロトコルの階層は、端末とＥ−ＵＴＲＡＮで対（ｐａｉｒ）に存在でき、これはＵｕインターフェースのデータ送信を担当することができる。
【００１４】
物理階層（ＰＨＹ；ｐｈｙｓｉｃａｌ  ｌａｙｅｒ）は、Ｌ１に属する。物理階層は、物理チャネルを介して上位階層に情報転送サービスを提供する。物理階層は、上位階層であるＭＡＣ（ｍｅｄｉａ  ａｃｃｅｓｓ  ｃｏｎｔｒｏｌ）階層とトランスポートチャネル（ｔｒａｎｓｐｏｒｔ  ｃｈａｎｎｅｌ）を介して接続される。物理チャネルは、トランスポートチャネルにマッピングされる。トランスポートチャネルを介してＭＡＣ階層と物理階層との間にデータが送信されることができる。互いに異なる物理階層間、即ち、送信機の物理階層と受信機の物理階層との間にデータは、物理チャネルを介して無線リソースを利用して送信されることができる。物理階層は、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）方式を利用して変調されることができ、時間と周波数を無線リソースとして活用する。
【００１５】
物理階層は、いくつかの物理制御チャネル（ｐｈｙｓｉｃａｌ  ｃｏｎｔｒｏｌ  ｃｈａｎｎｅｌ）を使用する。ＰＤＣＣＨ（ｐｈｙｓｉｃａｌ  ｄｏｗｎｌｉｎｋ  ｃｏｎｔｒｏｌ  ｃｈａｎｎｅｌ）は、ＰＣＨ（ｐａｇｉｎｇ  ｃｈａｎｎｅｌ）及びＤＬ−ＳＣＨ（ｄｏｗｎｌｉｎｋ  ｓｈａｒｅｄ  ｃｈａｎｎｅｌ）のリソース割当、ＤＬ−ＳＣＨと関連しているＨＡＲＱ（ｈｙｂｒｉｄ  ａｕｔｏｍａｔｉｃ  ｒｅｐｅａｔ  ｒｅｑｕｅｓｔ）情報に対して端末に報告する。ＰＤＣＣＨは、アップリンク送信のリソース割当に対して端末に報告するためにアップリンクグラントを伝送することができる。ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）は、ＰＤＣＣＨのために使われるＯＦＤＭシンボルの個数を端末に知らせ、全てのサブフレーム毎に送信される。ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）は、ＵＬ−ＳＣＨ送信に対するＨＡＲＱ  ＡＣＫ（ａｃｋｎｏｗｌｅｄｇｅｍｅｎｔ）／ＮＡＣＫ（ｎｏｎ−ａｃｋｎｏｗｌｅｄｇｅｍｅｎｔ）信号を伝送する。ＰＵＣＣＨ（ｐｈｙｓｉｃａｌ  ｕｐｌｉｎｋ  ｃｏｎｔｒｏｌ  ｃｈａｎｎｅｌ）は、ダウンリンク送信のためのＨＡＲＱ  ＡＣＫ／ＮＡＣＫ、スケジューリング要求及びＣＱＩのようなＵＬ制御情報を伝送する。ＰＵＳＣＨ（ｐｈｙｓｉｃａｌ  ｕｐｌｉｎｋ  ｓｈａｒｅｄ  ｃｈａｎｎｅｌ）は、ＵＬ−ＳＣＨ（ｕｐｌｉｎｋ  ｓｈａｒｅｄ  ｃｈａｎｎｅｌ）を伝送する。
【００１６】
図４は、物理チャネル構造の一例を示す。
【００１７】
物理チャネルは、時間領域で複数のサブフレーム（ｓｕｂｆｒａｍｅ）と周波数領域で複数の副搬送波（ｓｕｂｃａｒｒｉｅｒ）で構成される。一つのサブフレームは、時間領域で複数のシンボルで構成される。一つのサブフレームは、複数のリソースブロック（ＲＢ；ｒｅｓｏｕｒｃｅ  ｂｌｏｃｋ）で構成される。一つのリソースブロックは、複数のシンボルと複数の副搬送波で構成される。また、各サブフレームは、ＰＤＣＣＨのために該当サブフレームの特定シンボルの特定副搬送波を利用することができる。例えば、サブフレームの１番目のシンボルがＰＤＣＣＨのために使われることができる。ＰＤＣＣＨは、ＰＲＢ（ｐｈｙｓｉｃａｌ  ｒｅｓｏｕｒｃｅ  ｂｌｏｃｋ）及びＭＣＳ（ｍｏｄｕｌａｔｉｏｎ  ａｎｄ  ｃｏｄｉｎｇ  ｓｃｈｅｍｅｓ）のように動的に割り当てられたリソースを伝送することができる。データが送信される単位時間であるＴＴＩ（ｔｒａｎｓｍｉｓｓｉｏｎ  ｔｉｍｅ  ｉｎｔｅｒｖａｌ）は、１個のサブフレームの長さと同じである。一つのサブフレームの長さは、１ｍｓである。
【００１８】
トランスポートチャネルは、チャネルが共有されるかどうかによって、共通トランスポートチャネル及び専用トランスポートチャネルに分類される。ネットワークから端末にデータを送信するＤＬトランスポートチャネル（ＤＬ  ｔｒａｎｓｐｏｒｔ  ｃｈａｎｎｅｌ）は、システム情報を送信するＢＣＨ（ｂｒｏａｄｃａｓｔ  ｃｈａｎｎｅｌ）、ページングメッセージを送信するＰＣＨ（ｐａｇｉｎｇ  ｃｈａｎｎｅｌ）、ユーザトラフィックまたは制御信号を送信するＤＬ−ＳＣＨなどを含む。ＤＬ−ＳＣＨは、ＨＡＲＱ、変調、コーディング及び送信電力の変化による動的リンク適応及び動的／半静的リソース割当をサポートする。また、ＤＬ−ＳＣＨは、セル全体にブロードキャスト及びビーム形成の使用を可能にする。システム情報は、一つ以上のシステム情報ブロックを伝送する。全てのシステム情報ブロックは、同じ周期に送信されることができる。ＭＢＭＳ（ｍｕｌｔｉｍｅｄｉａ  ｂｒｏａｄｃａｓｔ／ｍｕｌｔｉｃａｓｔ  ｓｅｒｖｉｃｅ）のトラフィックまたは制御信号は、ＭＣＨ（ｍｕｌｔｉｃａｓｔ  ｃｈａｎｎｅｌ）を介して送信される。
【００１９】
端末からネットワークにデータを送信するＵＬトランスポートチャネルは、初期制御メッセージ（ｉｎｉｔｉａｌ  ｃｏｎｔｒｏｌ  ｍｅｓｓａｇｅ）を送信するＲＡＣＨ（ｒａｎｄｏｍ  ａｃｃｅｓｓ  ｃｈａｎｎｅｌ）、ユーザトラフィックまたは制御信号を送信するＵＬ−ＳＣＨなどを含む。ＵＬ−ＳＣＨは、ＨＡＲＱ及び送信電力及び潜在的な変調及びコーディングの変化による動的リンク適応をサポートすることができる。また、ＵＬ−ＳＣＨは、ビーム形成の使用を可能にする。ＲＡＣＨは、一般的にセルへの初期アクセスに使われる。
【００２０】
Ｌ２に属するＭＡＣ階層は、論理チャネル（ｌｏｇｉｃａｌ  ｃｈａｎｎｅｌ）を介して上位階層であるＲＬＣ（ｒａｄｉｏ  ｌｉｎｋ  ｃｏｎｔｒｏｌ）階層にサービスを提供する。ＭＡＣ階層は、複数の論理チャネルから複数のトランスポートチャネルへのマッピング機能を提供する。また、ＭＡＣ階層は、複数の論理チャネルから単数のトランスポートチャネルへのマッピングによる論理チャネル多重化機能を提供する。ＭＡＣ副階層は、論理チャネル上のデータ転送サービスを提供する。
【００２１】
論理チャネルは、送信される情報の種類によって、制御平面の情報伝達のための制御チャネルとユーザ平面の情報伝達のためのトラフィックチャネルに分けられる。即ち、論理チャネルタイプのセットは、ＭＡＣ階層により提供される異なるデータ転送サービスのために定義される。論理チャネルは、トランスポートチャネルの上位に位置してトランスポートチャネルにマッピングされる。
【００２２】
制御チャネルは、制御平面の情報伝達だけのために使われる。ＭＡＣ階層により提供される制御チャネルは、ＢＣＣＨ（ｂｒｏａｄｃａｓｔ  ｃｏｎｔｒｏｌ  ｃｈａｎｎｅｌ）、ＰＣＣＨ（ｐａｇｉｎｇ  ｃｏｎｔｒｏｌ  ｃｈａｎｎｅｌ）、ＣＣＣＨ（ｃｏｍｍｏｎ  ｃｏｎｔｒｏｌ  ｃｈａｎｎｅｌ）、ＭＣＣＨ（ｍｕｌｔｉｃａｓｔ  ｃｏｎｔｒｏｌ  ｃｈａｎｎｅｌ）及びＤＣＣＨ（ｄｅｄｉｃａｔｅｄ  ｃｏｎｔｒｏｌ  ｃｈａｎｎｅｌ）を含む。ＢＣＣＨは、システム制御情報を放送するためのダウンリンクチャネルである。ＰＣＣＨは、ページング情報の送信及びセル単位の位置がネットワークに知られていない端末をページングするために使われるダウンリンクチャネルである。ＣＣＣＨは、ネットワークとＲＲＣ接続をしない場合、端末により使われる。ＭＣＣＨは、ネットワークから端末にＭＢＭＳ制御情報を送信するのに使われる一対多のダウンリンクチャネルである。ＤＣＣＨは、ＲＲＣ接続状態で端末とネットワークとの間に専用制御情報送信のために端末により使われる一対一の双方向チャネルである。
【００２３】
トラフィックチャネルは、ユーザ平面の情報伝達だけのために使われる。ＭＡＣ階層により提供されるトラフィックチャネルは、ＤＴＣＨ（ｄｅｄｉｃａｔｅｄ  ｔｒａｆｆｉｃ  ｃｈａｎｎｅｌ）及びＭＴＣＨ（ｍｕｌｔｉｃａｓｔ  ｔｒａｆｆｉｃ  ｃｈａｎｎｅｌ）を含む。ＤＴＣＨは、一対一のチャネルであり、一つの端末のユーザ情報の送信のために使われ、アップリンク及びダウンリンクの両方ともに存在できる。ＭＴＣＨは、ネットワークから端末にトラフィックデータを送信するための一対多のダウンリンクチャネルである。
【００２４】
論理チャネルとトランスポートチャネルとの間のアップリンク接続は、ＵＬ−ＳＣＨにマッピングされることができるＤＣＣＨ、ＵＬ−ＳＣＨにマッピングされることができるＤＴＣＨ及びＵＬ−ＳＣＨにマッピングされることができるＣＣＣＨを含む。論理チャネルとトランスポートチャネルとの間のダウンリンク接続は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ及びＭＣＨにマッピングされることができるＭＴＣＨを含む。
【００２５】
ＲＬＣ階層は、Ｌ２に属する。ＲＬＣ階層の機能は、下位階層がデータを送信するのに適するように無線セクションで上位階層から受信されたデータの分割／連接によるデータの大きさ調整を含む。無線ベアラ（ＲＢ；ｒａｄｉｏ  ｂｅａｒｅｒ）が要求する多様なＱｏＳを保障するために、ＲＬＣ階層は、透明モード（ＴＭ；ｔｒａｎｓｐａｒｅｎｔ  ｍｏｄｅ）、非確認モード（ＵＭ；ｕｎａｃｋｎｏｗｌｅｄｇｅｄ  ｍｏｄｅ）及び確認モード（ＡＭ；ａｃｋｎｏｗｌｅｄｇｅｄ  ｍｏｄｅ）の三つの動作モードを提供する。ＡＭ  ＲＬＣは、信頼性のあるデータ送信のためにＡＲＱ（ａｕｔｏｍａｔｉｃ  ｒｅｐｅａｔ  ｒｅｑｕｅｓｔ）を介して再送信機能を提供する。一方、ＲＬＣ階層の機能は、ＭＡＣ階層内部の機能ブロックで具現されることができ、このとき、ＲＬＣ階層は、存在しない場合もある。
【００２６】
ＰＤＣＰ（ｐａｃｋｅｔ  ｄａｔａ  ｃｏｎｖｅｒｇｅｎｃｅ  ｐｒｏｔｏｃｏｌ）階層は、Ｌ２に属する。ＰＤＣＰ階層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。ヘッダ圧縮は、データのヘッダに必要な情報のみを送信することによって、無線セクションで送信効率を上げる。さらに、ＰＤＣＰ階層は、セキュリティ機能を提供する。セキュリティ機能は、第３者の検査を防止する暗号化及び第３者のデータ操作を防止する完全性保護を含む。
【００２７】
ＲＲＣ（ｒａｄｉｏ  ｒｅｓｏｕｒｃｅ  ｃｏｎｔｒｏｌ）階層は、Ｌ３に属する。Ｌ３の最下部に位置するＲＲＣ階層は、制御平面でのみ定義される。ＲＲＣ階層は、端末とネットワークとの間の無線リソースを制御する役割を遂行する。そのために、端末とネットワークは、ＲＲＣ階層を介してＲＲＣメッセージを交換する。ＲＲＣ階層は、ＲＢの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。ＲＢは、端末とネットワークとの間のデータ伝達のために、Ｌ１及びＬ２により提供される論理的経路である。即ち、ＲＢは、端末とＥ−ＵＴＲＡＮとの間のデータ送信のために、Ｌ２により提供されるサービスを意味する。ＲＢが設定されるとは、特定サービスを提供するために無線プロトコル階層及びチャネルの特性を規定し、各々の具体的なパラメータ及び動作方法を決定することを意味する。ＲＢは、ＳＲＢ（ｓｉｇｎａｌｉｎｇ  ＲＢ）とＤＲＢ（ｄａｔａ  ＲＢ）の二つに区分されることができる。ＳＲＢは、制御平面でＲＲＣメッセージを送信する通路として使われ、ＤＲＢは、ユーザ平面でユーザデータを送信する通路として使われる。
【００２８】
図３−（ａ）を参照すると、ＲＬＣ及びＭＡＣ階層（ネットワーク側でｅＮＢで終了）は、スケジューリング、ＡＲＱ及びＨＡＲＱのような機能を遂行することができる。ＰＤＣＰ階層（ネットワーク側でｅＮＢで終了）は、ヘッダ圧縮、完全性保護及び暗号化のようなユーザ平面機能を遂行することができる。
【００２９】
図３−（ｂ）を参照すると、ＲＬＣ／ＭＡＣ階層（ネットワーク側でｅＮＢで終了）は、制御平面のために同じ機能を遂行することができる。ＲＲＣ階層（ネットワーク側でｅＮＢで終了）は、放送、ページング、ＲＲＣ接続管理、ＲＢ制御、移動性機能及びＵＥ測定報告及び制御のような機能を遂行することができる。ＮＡＳ制御プロトコル（ネットワーク側でゲートウェイのＭＭＥで終了）は、ＳＡＥベアラ管理、認証、ＬＴＥ＿ＩＤＬＥ移動性管理、ＬＴＥ＿ＩＤＬＥでのページング開始及びゲートウェイとＵＥとの間のシグナリングのためのセキュリティ制御のような機能を遂行することができる。
【００３０】
ＲＲＣ状態は、端末のＲＲＣ階層がＥ−ＵＴＲＡＮのＲＲＣ階層と論理的に接続されているかどうかを指示する。ＲＲＣ状態は、ＲＲＣ接続状態（ＲＲＣ＿ＣＯＮＮＥＣＴＥＤ）及びＲＲＣアイドル状態（ＲＲＣ＿ＩＤＬＥ）のように二つに分けられる。端末のＲＲＣ階層とＥ−ＵＴＲＡＮのＲＲＣ階層との間のＲＲＣ接続が設定されている場合、端末はＲＲＣ接続状態になり、それ以外の場合、端末はＲＲＣアイドル状態になる。ＲＲＣ＿ＣＯＮＮＥＣＴＥＤの端末は、Ｅ−ＵＴＲＡＮとＲＲＣ接続が設定されているため、Ｅ−ＵＴＲＡＮは、ＲＲＣ＿ＣＯＮＮＥＣＴＥＤの端末の存在を把握することができ、端末を効果的に制御することができる。一方、Ｅ−ＵＴＲＡＮは、ＲＲＣ＿ＩＤＬＥの端末を把握することができず、コアネットワーク（ＣＮ；ｃｏｒｅ  ｎｅｔｗｏｒｋ）がセルより大きい領域であるトラッキング領域（ｔｒａｃｋｉｎｇ  ａｒｅａ）単位に端末を管理する。即ち、ＲＲＣ＿ＩＤＬＥの端末は、より大きい領域の単位に存在のみが把握され、音声またはデータ通信のような通常の移動通信サービスを受けるために、端末は、ＲＲＣ＿ＣＯＮＮＥＣＴＥＤに移動しなければならない。
【００３１】
ＲＲＣ＿ＩＤＬＥ状態で、端末がＮＡＳにより設定されたＤＲＸ（ｄｉｓｃｏｎｔｉｎｕｏｕｓ  ｒｅｃｅｐｔｉｏｎ）を指定する中、端末は、システム情報及びページング情報の放送を受信することができる。また、端末は、トラッキング領域で端末を固有に指定するＩＤ（ｉｄｅｎｔｉｆｉｃａｔｉｏｎ）の割当を受け、ＰＬＭＮ（ｐｕｂｌｉｃ  ｌａｎｄ  ｍｏｂｉｌｅ  ｎｅｔｗｏｒｋ）選択及びセル再選択を実行することができる。また、ＲＲＣ＿ＩＤＬＥ状態で、ＲＲＣコンテキストはｅＮＢに格納されない。
【００３２】
ＲＲＣ＿ＣＯＮＮＥＣＴＥＤ状態で、端末は、Ｅ−ＵＴＲＡＮでＥ−ＵＴＲＡＮ  ＲＲＣ接続及びＲＲＣ  ｃｏｎｔｅｘｔを有し、ｅＮＢにデータを送信及び／またはｅＮＢからデータを受信することが可能である。また、端末は、ｅＮＢにチャネル品質情報及びフィードバック情報を報告することができる。ＲＲＣ＿ＣＯＮＮＥＣＴＥＤ状態で、Ｅ−ＵＴＲＡＮは、端末が属するセルを知ることができる。したがって、ネットワークは、端末にデータを送信及び／または端末からデータを受信することができ、端末の移動性（ハンドオーバ及びＮＡＣＣ（ｎｅｔｗｏｒｋ  ａｓｓｉｓｔｅｄ  ｃｅｌｌ  ｃｈａｎｇｅ）を介したＧＥＲＡＮ（ＧＳＭ（登録商標）  ＥＤＧＥ  ｒａｄｉｏ  ａｃｃｅｓｓ  ｎｅｔｗｏｒｋ）にｉｎｔｅｒ−ＲＡＴ（ｒａｄｉｏ  ａｃｃｅｓｓ  ｔｅｃｈｎｏｌｏｇｙ）セル変更指示）を制御することができ、隣接セルのためにセル測定を実行することができる。
【００３３】
ＲＲＣ＿ＩＤＬＥ状態で、端末は、ページングＤＲＸ周期を指定する。具体的に、端末は、端末特定ページングＤＲＸ周期毎の特定ページング機会（ｐａｇｉｎｇ  ｏｃｃａｓｉｏｎ）にページング信号をモニタする。ページング機会は、ページング信号が送信される中の時間間隔である。端末は、自分のみのページング機会を有している。
【００３４】
ページングメッセージは、同じトラッキング領域に属する全てのセルにわたって送信される。もし、端末が一つのトラッキング領域から他の一つのトラッキング領域に移動すると、端末は、位置をアップデートするために、ＴＡＵ（ｔｒａｃｋｉｎｇ  ａｒｅａ  ｕｐｄａｔｅ）メッセージをネットワークに送信する。
【００３５】
ユーザが端末の電源を最初にオンした時、端末は、まず、適切なセルを探索した後、該当セルでＲＲＣ＿ＩＤＬＥにとどまる。ＲＲＣ接続を確立する必要がある時、ＲＲＣ＿ＩＤＬＥにとどまっている端末は、ＲＲＣ接続手順を介してＥ−ＵＴＲＡＮのＲＲＣとＲＲＣ接続を確立してＲＲＣ＿ＣＯＮＮＥＣＴＥＤに移動することができる。ＲＲＣ＿ＩＤＬＥにとどまっている端末は、ユーザの通話試みなどの理由でアップリンクデータ送信が必要な時、またはＥ−ＵＴＲＡＮからページングメッセージを受信し、これに対する応答メッセージ送信が必要な時などにＥ−ＵＴＲＡＮとＲＲＣ接続を確立する必要がある。
【００３６】
端末とｅＮＢとの間にメッセージを送信するために使われるシグネチャシーケンスに互いに異なる原因値がマッピングされると知られている。さらに、ＣＱＩ（ｃｈａｎｎｅｌ  ｑｕａｌｉｔｙ  ｉｎｄｉｃａｔｏｒ）または経路損失及び原因またはメッセージ大きさは、初期プリアンブルに含むための候補であると知られている。
【００３７】
端末がネットワークにアクセスすることを希望し、メッセージが送信されるように決定すると、メッセージは目的（ｐｕｒｐｏｓｅ）にリンクされることができ、原因値は決定されることができる。また、理想的なメッセージの大きさは、全ての付加的情報及び互いに異なる代替可能な大きさを識別して決定されることができる。付加的な情報を除去し、または代替可能なスケジューリング要求メッセージが使われることができる。
【００３８】
端末は、プリアンブルの送信、ＵＬ干渉、パイロット送信電力、受信機でプリアンブルを検出するために要求されるＳＮＲまたはその組合せのために必要な情報を得る。この情報は、プリアンブルの初期送信電力の計算を許容しなければならない。メッセージの送信のために、同じチャネルが使われることを保障するために、周波数観点でプリアンブルの付近でＵＬメッセージを送信することが有利である。
【００３９】
ネットワークが最小限のＳＮＲでプリアンブルを受信することを保障するために、端末は、ＵＬ干渉及びＵＬ経路損失を考慮しなければならない。ＵＬ干渉は、ｅＮＢでのみ決定されることができるため、プリアンブル送信の前にｅＮＢによりブロードキャストされて端末により受信されなければならない。ＵＬ経路損失は、ＤＬ経路損失と類似に考慮されることができ、セルのいくつかのパイロット信号の送信電力が端末に知られると、受信されたＲＸ信号強度から端末により推定されることができる。
【００４０】
プリアンブルの検出のために必要なＵＬ  ＳＮＲは、一般的にＲｘアンテナの数及び受信機性能のようなｅＮＢ構成によって変わる。多少静的なパイロットの送信電力を送信し、変化するＵＬ干渉から必要なＵＬ  ＳＮＲを分離して送信し、及びメッセージとプリアンブルとの間に要求される可能な電力オフセットを送信するのに利点がある。
【００４１】
プリアンブルの初期送信電力は、以下の式によって概略的に計算されることができる。
【００４２】
送信電力＝ＴｒａｎｓｍｉｔＰｉｌｏｔ＋ＲｘＰｉｌｏｔ＋ＵＬ干渉＋オフセット＋ＳＮＲＲｅｑｕｉｒｅｄ
【００４３】
したがって、ＳＮＲＲｅｑｕｉｒｅｄ、ＵＬＩｎｔｅｒｆｅｒｅｎｃｅ、ＴｒａｎｓｍｉｔＰｉｌｏｔ及びオフセットのどのような組合せもブロードキャストされることができる。原則的に、ただ一つの値のみがブロードキャストされなければならない。たとえ、３ＧＰＰ  ＬＴＥにおけるＵＬ干渉が主にＵＭＴＳシステムより一定な隣接セル干渉であるとしても、これは現在のＵＭＴＳシステムで本質的である。
【００４４】
前述したように、端末は、プリアンブルの送信のための初期ＵＬ送信電力を決定する。ｅＮＢの受信機は、セルの干渉と比較される相対的な受信電力だけでなく、絶対的な受信電力も推定することができる。ｅＮＢは、干渉と比較される受信信号電力がｅＮＢに知られた閾値より大きい場合、プリアンブルが検出されたと見なす。
【００４５】
端末は、初期推定されたプリアンブルの送信電力が適しなくても、プリアンブルを検出することができるようにパワーランピングを実行する。次のランダムアクセス試み前に、もし、ＡＣＫまたはＮＡＣＫが端末により受信されない場合、他のプリアンブルは、ほとんど送信される。検出の確率を増加させるために、プリアンブルは、互いに異なるＵＬ周波数に送信されることができ、及び／またはプリアンブルの送信電力は、増加されることができる。したがって、検出されるプリアンブルの実際送信電力は、ＵＥにより初期に計算されたプリアンブルの初期送信電力に対応する必要がない。
【００４６】
端末は、可能なＵＬトランスポートフォーマットを必ず決定しなければならない。端末により使われるＭＣＳ及び多数のリソースブロックを含むことができるトランスポートフォーマットは、主に二つのパラメータにより決定される。具体的に、二つのパラメータは、ｅＮＢのＳＮＲ及び送信されるために要求されるメッセージの大きさである。
【００４７】
実際に端末メッセージ大きさの最大、またはペイロード、そして、要求される最小ＳＮＲは、各々、トランスポートフォーマットに対応する。ＵＭＴＳで、プリアンブルの送信以前に推定された初期プリアンブル送信電力、プリアンブルとトランスポートブロックとの間の必要なオフセット、最大に許容されるまたは利用可能な端末送信電力、固定されたオフセット及び付加的なマージンを考慮して送信のためのどのようなトランスポートフォーマットが選択されることができるかどうかを決定することができる。ネットワークが時間及び周波数リソース予約を必要としないため、ＵＭＴＳにおけるプリアンブルは、端末により選択されたトランスポートフォーマットに対するどのような情報も含む必要がない。したがって、トランスポートフォーマットは、送信されたメッセージと共に表示される。
【００４８】
プリアンブルの受信時、正しいトランスポートフォーマットを選択した後、必要な時間及び周波数リソースを予約するために、ｅＮＢは、端末が送信しようとするメッセージの大きさ及び端末により選択されるＳＮＲを認識しなければならない。したがって、端末は、ほとんどＤＬで測定された経路損失または初期プリアンブル送信電力の決定のためのいくつかの同じ測定を考慮するため、最大許容または可用端末送信電力と比較した端末送信電力は、ｅＮＢに知られていないため、受信されたプリアンブルによると、ｅＮＢは、端末により選択されるＳＮＲを推定することができない。
【００４９】
ｅＮＢは、ＤＬで推定された経路損失及びＵＬで推定された経路損失を比較することで、その差を計算することができる。しかし、もし、パワーランピングが使われ、プリアンブルのための端末送信電力が初期計算された端末送信電力と対応しない場合、この計算は不可能である。さらに、実際端末送信電力及び端末が送信するように意図される送信電力の精密度は非常に低い。したがって、経路損失をコード化またはダウンリンク及びメッセージの大きさのＣＱＩ推定のコード化またはシグネチャでＵＬの原因値をコード化することが提案される。
【００５０】
自己構成ネットワーク（ＳＯＮ；ｓｅｌｆ−ｏｒｇａｎｉｚｉｎｇ  ｎｅｔｗｏｒｋｓ）向上は、３ＧＰＰ  ＬＴＥ−ｒｅｌ−１２で考慮される新しい機能及び新しい配置のためだけでなく、既存機能の相互運用性のために必要である。３ＧＰＰ  ＬＴＥ  ｒｅｌ−１１において、失敗が発生した端末タイプを確認するために移動性強化最適化（ＭＲＯ；ｍｏｂｉｌｉｔｙ  ｒｏｂｕｓｔｎｅｓｓ  ｏｐｔｉｍｉｚａｔｉｏｎ）が向上された。他のＳＯＮ使用事例は、類似した改善が必要である。例えば、移動性負荷バランシング（ＭＬＢ；ｍｏｂｉｌｉｔｙ  ｌｏａｄ  ｂａｌａｎｃｉｎｇ）は、セル範囲拡張（ＣＲＥ；ｃｅｌｌ  ｒａｎｇｅ  ｅｘｐａｎｓｉｏｎ）をサポートする端末とサポートしない端末との間を区別することができない。
【００５１】
能動アンテナ（ａｃｔｉｖｅ  ａｎｔｅｎｎａ  ｓ）を介して配置を多様にする多数の垂直及び水平ビームが生成される。能動アンテナを介して変化する負荷条件を処理するための動的セル分割／結合が可能である。例えば、実際トラフィックミックス、トラフィック位置及びユーザ需要によって、ビームが容量を正確に分配するために調整されることができる。それによって、能動アンテナは、ピコセルの固定された配置が高いが、それにもかかわらず、ネットワークは、混雑状況に直面できる、郊外と農村地域に特に有用である。ＳＯＮは、アクティブアンテナに基づいてネットワーク配置を自動化することができる。
【００５２】
ＳＯＮ向上及び能動アンテナシステム（ＡＡＳ；ａｃｔｉｖｅ  ａｎｔｅｎｎａ  ｓｙｓｔｅｍ）に基づく配置のための新しい機能が論議された。ＡＡＳの配置可能シナリオ及びＡＡＳに対して付加的に要求されるＳＯＮ機能が論議される必要がある。
【発明の概要】
【発明が解決しようとする課題】
【００５３】
本発明は、無線通信システムにおけるセル形成指示を送信する方法及び装置を提供する。本発明は、セル形成（ｃｅｌｌ  ｓｈａｐｉｎｇ）またはセル形成解除（ｃｅｌｌ  ｕｎ−ｓｈａｐｉｎｇ）の計画を隣接ｅＮＢ（ｅＮｏｄｅＢ）に知らせ、またはセル形成またはセル形成解除が完了されたというイベントを隣接ｅＮＢに知らせる方法を提供する。
【課題を解決するための手段】
【００５４】
一態様において、無線通信システムにおける第１のｅＮＢ（ｅｖｏｌｖｅｄ  ＮｏｄｅＢ）によるセル形成（ｃｅｌｌ  ｓｈａｐｉｎｇ）指示を送信する方法が提供される。前記方法は、能動アンテナシステム（ＡＡＳ；ａｃｔｉｖｅ  ａｎｔｅｎｎａ  ｓｙｓｔｅｍ）で前記第１のｅＮＢにより管理されるセルのセル形成を指示するセル形成指示を第２のｅＮＢに送信することを含み、前記セル形成は、前記セルの主カバレッジは変わらずに維持されるが、前記セルの境界（ｅｄｇｅ）は、負荷要求（ｌｏａｄ  ｄｅｍａｎｄ）によって調整されることができることを意味する。
【００５５】
前記セル形成指示は、前記セルのセル形成が完了されたことを指示する。前記方法は、前記第２のｅＮＢに前記セル形成指示を送信する前に前記セルのセル形成を実行することをさらに含む。
【００５６】
前記セル形成指示は、前記セルのセル形成が実行されることを指示する。前記方法は、前記第２のｅＮＢに前記セル形成指示を送信した後に前記セルのセル形成を実行することをさらに含む。
【００５７】
他の態様において、無線通信システムにおける第１のｅＮＢ（ｅｖｏｌｖｅｄ  ＮｏｄｅＢ）によるセル形成解除（ｃｅｌｌ  ｕｎ−ｓｈａｐｉｎｇ）指示を送信する方法が提供される。前記方法は、能動アンテナシステム（ＡＡＳ；ａｃｔｉｖｅ  ａｎｔｅｎｎａ  ｓｙｓｔｅｍ）で前記第１のｅＮＢにより管理されるセルのセル形成解除を指示するセル形成解除指示を第２のｅＮＢに送信することを含み、前記セル形成解除は、前記セルのカバレッジが原カバレッジへ戻ることを意味する。
【００５８】
前記セル形成解除指示は、前記セルのセル形成解除が完了されたことを指示する。前記方法は、前記第２のｅＮＢに前記セル形成解除指示を送信する前に前記セルのセル形成解除を実行することをさらに含む。
【００５９】
前記セル形成解除指示は、前記セルのセル形成解除が実行されることを指示する。前記方法は、前記第２のｅＮＢに前記セル形成解除指示を送信した後に前記セルのセル形成解除を実行することをさらに含む。
【００６０】
他の態様において、無線通信システムにおける第１のｅＮＢ（ｅｖｏｌｖｅｄ  ＮｏｄｅＢ）によるハンドオーバ手順を拒絶する方法が提供される。前記方法は、前記第１のｅＮＢにより管理されるセルのセル形成解除を実行することを決定し、前記セルのセル形成解除を実行することを決定した直後に第２のｅＮＢからハンドオーバ要求メッセージを受信し、及び前記セルのセル形成解除を指示する原因情報を含むハンドオーバ用意失敗メッセージを送信することを含み、前記セル形成解除は、前記セルのカバレッジが原カバレッジへ戻ることを意味する。
本明細書は、例えば、以下の項目も提供する。
（項目１）
無線通信システムにおける第１のｅＮＢ（ｅｖｏｌｖｅｄ  ＮｏｄｅＢ）によるセル形成（ｃｅｌｌ  ｓｈａｐｉｎｇ）指示を送信する方法において、
能動アンテナシステム（ＡＡＳ；ａｃｔｉｖｅ  ａｎｔｅｎｎａ  ｓｙｓｔｅｍ）で前記第１のｅＮＢにより管理されるセルのセル形成を指示するセル形成指示を第２のｅＮＢに送信することを含み、
前記セル形成は、前記セルの主カバレッジは変わらずに維持されるが、前記セルの境界（ｅｄｇｅ）は、負荷要求（ｌｏａｄ  ｄｅｍａｎｄ）によって調整されることができることを意味することを特徴とする方法。
（項目２）
前記セル形成指示は、前記セルのセル形成が完了されたことを指示することを特徴とする項目１に記載の方法。
（項目３）
前記第２のｅＮＢに前記セル形成指示を送信する前に前記セルのセル形成を実行することをさらに含む項目２に記載の方法。
（項目４）
前記セル形成指示は、前記セルのセル形成が実行されることを指示することを特徴とする項目１に記載の方法。
（項目５）
前記第２のｅＮＢに前記セル形成指示を送信した後に前記セルのセル形成を実行することをさらに含む項目４に記載の方法。
（項目６）
無線通信システムにおける第１のｅＮＢ（ｅｖｏｌｖｅｄ  ＮｏｄｅＢ）によるセル形成解除（ｃｅｌｌ  ｕｎ−ｓｈａｐｉｎｇ）指示を送信する方法において、
能動アンテナシステム（ＡＡＳ；ａｃｔｉｖｅ  ａｎｔｅｎｎａ  ｓｙｓｔｅｍ）で前記第１のｅＮＢにより管理されるセルのセル形成解除を指示するセル形成解除指示を第２のｅＮＢに送信することを含み、
前記セル形成解除は、前記セルのカバレッジが原カバレッジへ戻ることを意味することを特徴とする方法。
（項目７）
前記セル形成解除指示は、前記セルのセル形成解除が完了されたことを指示することを特徴とする項目６に記載の方法。
（項目８）
前記第２のｅＮＢに前記セル形成解除指示を送信する前に前記セルのセル形成解除を実行することをさらに含む項目７に記載の方法。
（項目９）
前記セル形成解除指示は、前記セルのセル形成解除が実行されることを指示することを特徴とする項目６に記載の方法。
（項目１０）
前記第２のｅＮＢに前記セル形成解除指示を送信した後に前記セルのセル形成解除を実行することをさらに含む項目９に記載の方法。
（項目１１）
無線通信システムにおける第１のｅＮＢ（ｅｖｏｌｖｅｄ  ＮｏｄｅＢ）によるハンドオーバ手順を拒絶する方法において、
前記第１のｅＮＢにより管理されるセルのセル形成解除を実行することを決定し；
前記セルのセル形成解除を実行することを決定した直後に第２のｅＮＢからハンドオーバ要求メッセージを受信し；及び、
前記セルのセル形成解除を指示する原因情報を含むハンドオーバ用意失敗メッセージを送信することを含み、
前記セル形成解除は、前記セルのカバレッジが原カバレッジへ戻ることを意味することを特徴とする方法。
（項目１２）
前記セルのセル形成解除を実行し；及び、
前記セルのセル形成解除を実行した後、セル形成解除指示を前記第２のｅＮＢに送信することをさらに含む項目１１に記載の方法。
（項目１３）
前記セル形成解除指示は、前記セルのセル形成解除が完了されたことを指示することを特徴とする項目１２に記載の方法。
（項目１４）
セル形成解除指示を前記第２のｅＮＢに送信し；及び、
前記セル形成解除指示を送信した後、前記セルのセル形成解除を実行することをさらに含む項目１１に記載の方法。
（項目１５）
前記セル形成解除指示は、前記セルのセル形成解除が実行されることを指示することを特徴とする項目１４に記載の方法。
【発明の効果】
【００６１】
セル形成またはセル形成解除を隣接ｅＮＢに知らせることができる。
【図面の簡単な説明】
【００６２】
【図１】ＬＴＥシステムの構造を示す。
【図２】一般的なＥ−ＵＴＲＡＮ及びＥＰＣ構造のブロック図である。
【図３】ＬＴＥシステムのユーザ平面プロトコルスタック及び制御平面プロトコルスタックのブロック図である。
【図４】物理チャネル構造の一例を示す。
【図５】ＡＡＳのためのビーム形成調整のシナリオを示す。
【図６】ＡＡＳのためのセル形成調整のシナリオを示す。
【図７】ＡＡＳのためのセル分割調整のシナリオを示す。
【図８】本発明の一実施例に係る指示を送信する方法の一例を示す。
【図９】本発明の一実施例に係る指示を送信する方法の他の例を示す。
【図１０】本発明の一実施例に係る指示を送信する方法の他の例を示す。
【図１１】隣接ｅＮＢ間のセル形成動作の一例を示す。
【図１２】本発明の一実施例に係るセル形成指示を送信する方法の一例を示す。
【図１３】本発明の一実施例に係るセル形成解除指示を送信する方法の一例を示す。
【図１４】本発明の一実施例に係るハンドオーバ手順を拒絶する方法の一例を示す。
【図１５】本発明の実施例が具現される無線通信システムのブロック図である。
【発明を実施するための形態】
【００６３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術で具現されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術で具現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２．２０、Ｅ−ＵＴＲＡ（ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６基づくシステムとの後方互換性（ｂａｃｋｗａｒｄ  ｃｏｍｐａｔｉｂｉｌｉｔｙ）を提供する。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（ａｄｖａｎｃｅｄ）は、３ＧＰＰ  ＬＴＥの進化である。
【００６４】
説明を明確にするために、ＬＴＥ−Ａを中心に記述するが、本発明の技術的思想がこれに制限されるものではない。
【００６５】
能動アンテナシステム（ＡＡＳ；ａｃｔｉｖｅ  ａｎｔｅｎｎａ  ｓｙｓｔｅｍ）は、放射パターン（ｒａｄｉａｔｉｏｎ  ｐａｔｔｅｒｎ）が動的に調節可能なアンテナ配列システム（ａｎｔｅｎｎａ  ａｒｒａｙ  ｓｙｓｔｅｍ）が装備されている基地局をいう。ＡＡＳは、従来基地局に設置されたものの代替的なアンテナシステムを導入する。ＡＡＳ内のアンテナ配列システムと送信機及び受信機との間の相互作用は、従来基地局と従来アンテナシステムと異なることがある。
【００６６】
ＡＡＳ配置シナリオが説明される。３ＧＰＰ  ＴＲ  ３７．８４０  Ｖ１２．０．０（２０１３−０３）のＳｅｃｔｉｏｎ５を参照することができる。
【００６７】
１）チルト（Ｔｉｌｔ）及び放射パターン制御
【００６８】
アンテナは、一般的に固定されたビーム幅（ｂｅａｍ  ｗｉｄｔｈ）で製造され、アンテナ製造業者は、典型的に彼らの従来生産ライン内で制限された個数のビーム幅変化を提供する。従来、基地局設備は、地面方向にアンテナ応答の主ローブ（ｍａｉｎ  ｌｏｂｅ）を指向するようにするために、アンテナに物理的チルトを導入することが多い。アンテナチルトは、所望のセルカバレッジを最適化して隣接セルに／からの干渉を最小化するために選択される。一部設備は、アンテナチルト角の遠隔制御を容易にする位相シフトの調整を許容する遠隔電気的チルト（ＲＥＴ；ｒｅｍｏｔｅ  ｅｌｅｃｔｒｉｃａｌ  ｔｉｌｔ）装置を使用する。
【００６９】
ＡＡＳは、電子手段を介して放射パターンのビーム幅だけでなく、高度と防衛角度も動的に制御することができる。電子制御は、機械的な制御と共に利用されることができる。ＡＡＳ放射パターンは、特定配置シナリオ及び可能な場合にトラフィックパターンを変更するために調整されることができる。ＡＡＳ放射パターンは、カバレッジとビーム形成利得目的のために、独立的なアップリンクとダウンリンクのように異なるリンクに対して独立的に最適化されることができる。
【００７０】
チルトとビーム幅制御の概念は、アンテナパターンの調整によりセルが垂直または水平に分割されるセル分割技術により拡張されることができる。例えば、一つのセルパーティション（ｐａｒｔｉｔｉｏｎ）は、ＢＳに近く位置し、他のセルパーティションは、ＢＳから遠く離れて位置できる。
【００７１】
２）ＭＩＭＯ（ｍｕｌｔｉｐｌｅ−ｉｎｐｕｔ  ｍｕｌｔｉｐｌｅ−ｏｕｔｐｕｔ）
【００７２】
ＭＩＭＯは、ビーム形成、ダイバーシティ、空間多重化などのような多様な空間プロセシング技術を含む一般的な用語である。各々の簡略な説明は、下記の通りである。
【００７３】
−ビーム形成：専用参照信号を利用したデータ復調が端末によりサポートされる時、端末に向かって形成された専用ビームの使用
【００７４】
−ダイバーシティ：例えば、ＳＦＢＣ（ｓｐａｔｉａｌ−ｆｒｅｑｕｅｎｃｙ  ｂｌｏｃｋ  ｃｏｄｅ）またはＦＳＴＤ（ｆｒｅｑｕｅｎｃｙ  ｓｗｉｔｃｈｉｎｇ  ｔｒａｎｓｍｉｔ  ｄｉｖｅｒｓｉｔｙ）または両方の組合せの使用を介した空間及び周波数領域で共同に最適化するためのダイバーシティ技術の使用
【００７５】
−空間多重化：利用可能なアンテナの組合せにより生成された複数の空間レイヤを使用して一つの端末（ＳＵ−ＭＩＭＯ）または複数の端末（ＭＵ−ＭＩＭＯ）に複数の信号ストリーム送信
【００７６】
３）互いに異なる搬送波周波数でのアンテナ動作差別化
【００７７】
ＡＡＳは、互いに異なる搬送波周波数で互いに異なる無線アクセス技術（ＲＡＴ）に対して互いに異なるアンテナ使用をサポートする。例えば、ＡＡＳは、ＬＴＥ搬送波に対する４個の仮想アンテナ及びＨＳＰＡ（ｈｉｇｈ−ｓｐｅｅｄ  ｐａｃｋｅｔ  ａｃｃｅｓｓ）またはＧＳＭ（登録商標）搬送波に対する２個のアンテナを生成することができる。
【００７８】
４）ＲＢ（または、端末）別の送受信
【００７９】
各端末は、端末の移動を追跡する自ビームを得ることができる。空間多重化、ビーム形成及び送信ダイバーシティをサポートするための現在仕様は、一つのリソースブロック内に一つの端末に送受信スケジューリングすることができる機能を含む。例えば、これは移動性に対する調整と共に個別端末にビーム形成を許容する。
【００８０】
ＡＡＳ基地局は、広域（ｗｉｄｅ  ａｒｅａ）、中間範囲（ｍｅｄｉｕｍ  ｒａｎｇｅ）及びローカル領域（ｌｏｃａｌ  ａｒｅａ）カバレッジに配置されることができる。
【００８１】
−広域カバレッジ配置シナリオは、一般的に、基地局アンテナがアンテナ支柱、屋根の上面または１階（ｓｔｒｅｅｔ  ｌｅｖｅｌ）より高い位置にある野外マクロ環境で見られる。広域カバレッジに対して設計されたＡＡＳ基地局をマクロＡＡＳという。
【００８２】
−中間範囲カバレッジ配置シナリオは、一般的に、ＡＡＳ基地局が屋根の上面より低い位置にある野外マイクロ環境で見られる。中間範囲カバレッジに対して設計されたＡＡＳ基地局をマイクロＡＡＳという。
【００８３】
−ローカル領域基地局配置シナリオは、一般的に、アンテナが天井または壁に位置した室内（事務室、地下鉄駅等）で見られる。また、ローカル領域カバレッジに対する配置シナリオは、市場、大通り、鉄道駅のような野外ホットスポット地域でも見られる。ローカル領域カバレッジに対して設計されたＡＡＳ基地局をピコＡＡＳという。
【００８４】
従来、基地局が固定されたビームパターンを仮定するが、ＡＡＳ基地局の放射パターンは、動的に調整されることができる。統合的でない（ｕｎ−ｃｏｏｒｄｉｎａｔｅｄ）配置に基づく従来基地局とＡＡＳ基地局の共存が考慮されることができる。共存要求事項を研究するために既存結果に基づく分析方法が使われることができ、必要な場合、追加シミュレーションが補完されることができる。下記の初期シナリオは、ＡＡＳ  ＢＳの空間的特性を研究するための目的として確認される：
【００８５】
−他のＥ−ＵＴＲＡマクロＡＡＳ基地局と共に位置したＥ−ＵＴＲＡマクロＡＡＳ基地局
【００８６】
−従来Ｅ−ＵＴＲＡマクロ基地局と共に位置したＥ−ＵＴＲＡマクロＡＡＳ基地局
【００８７】
前記説明された配置／共存シナリオに基づいて、ＡＡＳの配置シナリオは、以下の表１に記載されたように、３つの側面に分類されることができる。
【００８８】
【表１】
0006441925.tif 000002
【００８９】
表１を参照すると、セル分割と関連して内側部分と外側部分とに分割されたセルが基本配置シナリオと見なされる。より正確で適応的なビーム調整を仮定すると、各端末の移動追跡による端末別送受信が可能なシナリオである。
【００９０】
各セルパーティションに対する周波数及びＲＡＴ割当と関連して、３つの可能なオプションがあり、これは１）全てのパーティションに対して同じ周波数を割当、２）各パーティションに対して異なる周波数を割当、３）各パーティションに対して異なるＲＡＴを割り当てるものである。３つのオプションのうち、各パーティションに対して異なるＲＡＴを割り当てるものは、他のオプションに比べてネットワークの観点でさらに多くの努力（例えば、ＲＡＴ間ハンドオーバ、セルＩＤ割当及び使用ケースに対してさらに議論必要）が要求される。
【００９１】
共存シナリオと関連して、もし、互いに共に位置したＡＡＳ基地局間に連動（ｉｎｔｅｒｗｏｒｋｉｎｇ）ＳＯＮメカニズムが開発されると、そのとき、従来基地局と共に位置したＡＡＳ基地局のケースとして使われることができる。しかし、この場合、互換性問題は考慮されなければならない。
【００９２】
したがって、まず、下記のＡＡＳ配置シナリオに焦点を合わせることが好ましい。
【００９３】
−内側領域及び外側領域に分割されたセル、
【００９４】
−セルの全てのパーティションに対して同じ周波数を割り当て、または各パーティションに異なる周波数を割当、及び
【００９５】
−他のマクロＡＡＳ基地局と共に位置したマクロＡＡＳ基地局
【００９６】
ＡＡＳ基本配置シナリオが説明される。多くの端末が集中される場合、容量を最適化するために適用されることができるＡＡＳ動作に対して、ビーム形成、セル形成（ｃｅｌｌ  ｓｈａｐｉｎｇ）、セル分割を含むシナリオが論議されてきた。このようなシナリオは、高い密度の端末から高いトラフィック要求を仮定する。端末は、空間上で一時的にまたは永久的に集中されることができる。ＡＡＳベースの配置は、容量を最適化するために使われる。
【００９７】
図５は、ＡＡＳのためのビーム形成調整のシナリオを示す。ビーム形成は、各セルのカバレッジが変更されずに維持される、適応的なまたは再構成できるアンテナシステムを導入する。図５を参照すると、ｅＮＢ１は、トラフィックホットスポットに向かってアンテナを構成する。ビーム形成によってセル境界干渉がなく、トラフィックホットスポットで端末移動性協力もない。また、各ｅＮＢでサービング／隣接セルアップデート及び／または機能再構成がない。また、ＯＡＭ（ｏｐｅｒａｔｉｏｎｓ、ａｄｍｉｎｉｓｔｒａｔｉｏｎ  ａｎｄ  ｍａｉｎｔｅｎａｎｃｅ）で構成アップデートがない。全てのセルカバレッジで同じ物理セルＩＤ（ＰＣＩ；ｐｈｙｓｉｃａｌ  ｃｅｌｌ  ＩＤ）が使われる。このような調整は、高速時間スケール（ｆａｓｔ  ｔｉｍｅ  ｓｃａｌｅ）と考慮される（無線リソース管理（ＲＲＭ；ｒａｄｉｏ  ｒｅｓｏｕｒｃｅ  ｍａｎａｇｅｍｅｎｔ）によって）。ビーム形成がセルカバレッジの再形成を起こす場合、変更のトリガは、ＯＡＭ再構成（例えば、集められたＫＰＩ（ｋｅｙ  ｐｅｒｆｏｒｍａｎｃｅ  ｉｎｄｉｃａｔｏｒ）ベース）である。または、セルカバレッジが影響を受けない場合、制御ユニットは基地局である（実行ベース）。
【００９８】
図６は、ＡＡＳのためのセル形成調整のシナリオを示す。セル形成は、各セルの主カバレッジは、変わらずに維持されるが、セルの境界は、負荷要求（ｌｏａｄ  ｄｅｍａｎｄ）によって調整されることができる、適応的なまたは再構成できるアンテナシステムを導入する。図６を参照すると、セル１は、トラフィックホットスポット周囲に形成される。セル形成によってセル境界干渉がなく、トラフィックホットスポットで端末移動性協力もない。また、各ｅＮＢでサービング／隣接セルアップデート及び／または機能再構成がない。また、ＯＡＭで構成アップデートがない。全てのセルカバレッジで同じＰＣＩが使われる。このような調整は、中間時間スケール（ｍｅｄｉｕｍ  ｔｉｍｅ  ｓｃａｌｅ）と考慮される（１時間ごとにまたはさらにまれに）。変更のトリガは、ＯＡＭ再構成（例えば、集められたＫＰＩベース）である。または、変更が予め計画された場合、制御ユニットは基地局である（実行ベース）。
【００９９】
図７は、ＡＡＳのためのセル分割調整のシナリオを示す。セル分割は、さらに多いアンテナビームを含むようにアンテナシステムを変更し、選択された基地局に高いステップのセクタ化（垂直、水平またはその組合せ）を導入する。各アンテナビームは、変更前より小さい領域をカバーする。しかし、組み合わせられたビームの主カバレッジは、分割以前の主セルカバレッジに対応する。図７を参照すると、セル１は、トラフィックホットスポットをサポートするためにセル１ａとセル１ｂとに分割される。セル１ａとセル１ｂとの間のセル境界干渉が発生でき、トラフィックホットスポットでセル１に接続した端末の移動性が変更されることができる。また、ＡＮＲ（ａｕｔｏｍａｔｉｃ  ｎｅｉｇｈｂｏｒ  ｒｅｌａｔｉｏｎ）、ＰＣＩ、隣接セルリスト（ＮＣＬ；ｎｅｉｇｈｂｏｒ  ｃｅｌｌ  ｌｉｓｔ）などを含むサービング／隣接セルアップデート及び移動性強化最適化（ＭＯＲ；ｍｏｂｉｌｉｔｙ  ｒｏｂｕｓｔｎｅｓｓ  ｏｐｔｉｍｉｚａｔｉｏｎ）、向上されたセル間干渉協力（ｅＩＣＩＣ；ｅｎｈａｎｃｅｄ  ｉｎｔｅｒ−ｃｅｌｌ  ｉｎｔｅｒｆｅｒｅｎｃｅ  ｃｏｏｒｄｉｎａｔｉｏｎ）などを含む機能再構成が各ｅＮＢで実行されることができる。また、ＯＡＭで新しい構成アップデートがあることがある。各ビームは、互いに異なるＰＣＩを放送する。セル分割手順は、長い時間スケール（ｌｏｎｇ  ｔｅｒｍ  ｔｉｍｅ  ｓｃａｌｅ）と考慮される（１時間ごとにまたはさらにまれに一日に数回）。変更のトリガは、ＯＡＭ再構成（例えば、集められたＫＰＩベース）である。または、セルカバレッジが影響を受けずに分割が予め計画された場合、制御ユニットは基地局である（実行ベース）。セル分割の指示がＯＡＭ及び隣接ｅＮＢで必要である。
【０１００】
以下、本発明の一実施例によってセル形成のシナリオに集中する。
【０１０１】
前述した接近に基づいて、ＭＲＯメカニズムに対して現在標準の向上を要求するいくつかの問題が存在する。即ち、セル形成機能がセルカバレッジ領域の動的な変更の原因になるため、端末は、ＡＡＳによりセル形成機能をサポートするセルと一般セルを区別する必要がある。たとえ、端末がセルの形成された部分にハンドオーバされるとしても、端末は、セルカバレッジの動的変更によりセルから離れなければならない。したがって、ｅＮＢが端末のハンドオーバを決定する時、ｅＮＢは、ターゲットセルがＡＡＳによりセル形成機能をサポートするかどうかを知るべき必要がある。
【０１０２】
したがって、本発明の一実施例によって、ｅＮＢは、セルがＡＡＳによりセル形成機能をサポートするかどうかを指示することができる。該当指示を受信すると、サービングｅＮＢは、端末がハンドオーバされることもできる隣接セルがセル形成機能をサポートするかどうかを知ることができる。
【０１０３】
図８は、本発明の一実施例に係る指示を送信する方法の一例を示す。図８を参照すると、隣接ｅＮＢは、無線チャネルを介して端末に自セルに対する指示を放送する。該当指示を受信すると、端末は、受信した指示をサービングｅＮＢに報告する。したがって、サービングｅＮＢは、隣接セルがセル形成指示をサポートするかどうかを知ることができる。
【０１０４】
図９は、本発明の一実施例に係る指示を送信する方法の他の例を示す。図９を参照すると、隣接ｅＮＢは、無線チャネルを介して端末に自セルに対する指示を放送する。もし、受信した指示が、隣接セルがＡＡＳによりセル形成機能をサポートするという情報を含むと、端末は、サービングｅＮＢに測定結果を報告しない。したがって、端末は、隣接セルにハンドオーバされることができない。
【０１０５】
図１０は、本発明の一実施例に係る指示を送信する方法の他の例を示す。図１０を参照すると、隣接ｅＮＢは、Ｘ２インターフェースを介して端末のサービングｅＮＢに自セルに対する指示を送信する。したがって、サービングｅＮＢは、隣接セルがセル形成指示をサポートするかどうかを知ることができる。
【０１０６】
サービングｅＮＢは、該当指示と関連したセルに端末をハンドオーバするかどうかを決定する時、端末または隣接ｅＮＢから得た指示を考慮することができる。
【０１０７】
また、本発明の一実施例によると、ＡＡＳによりセル形成機能をサポートするセルのためのＰＣＩが留保されることができる。ｅＮＢは、隣接ｅＮＢに留保されたＰＣＩ範囲情報を放送することができる。表２は、本発明の一実施例によってＡＡＳによりセル形成機能をサポートするセルのためのＰＣＩの割当の一例を示す。例えば、事業者（ｏｐｅｒａｔｏｒ）がＡＡＳによりセル形成機能をサポートするセルのためにＫ＋１個のＰＣＩを留保すると、ＰＣＩ割当の例は、下記の通りである。
【０１０８】
【表２】
0006441925.tif 000003
【０１０９】
表２を参照すると、ＮからＮ＋ＫまでのＰＣＩがＡＡＳによりセル形成機能をサポートするセルのために留保され、残りのＰＣＩは、一般セルのために留保される。ＡＡＳによりセル形成機能をサポートするセルのために留保されたＰＣＩと一般セルのために留保されたＰＣＩは重ならない。
【０１１０】
また、本発明の一実施例によると、セル（セル１）が高いトラフィック負荷状態にある時、セル１を管理するｅＮＢ（ｅＮＢ１）は、セル１の端末を受けるために、隣接ｅＮＢ（ｅＮＢ２）に隣接ｅＮＢのセル（セル２）をセル１に向かって形成することを要求することができる。
【０１１１】
図１１は、隣接ｅＮＢ間のセル形成動作の一例を示す。図１１を参照すると、ｅＮＢ１により管理されるセル１は、セルの境界でｅＮＢ２により管理されるセル２に向かって形成される。セル１の主カバレッジは変更されない。セル２に向かってセル１を形成してセル２の端末を受け入れることで、セル２で要求されるトラフィックの量（または、端末の個数）が高い時、ｅＮＢ２は、高い負荷状態から逃れることができる。また、セル１が高い負荷状態にある時、ｅＮＢ２がセル１に向かってセル２を形成してセル１の端末を受け入れることもできる。
【０１１２】
問題は、セル形成以前の実際セルカバレッジとセル形成以後のカバレッジ領域が異なることがあるという点である。したがって、ｅＮＢが自セルのセル形成またはセル形成解除（ｃｅｌｌ  ｕｎ−ｓｈａｐｉｎｇ）を計画した時、その計画を隣接ｅＮＢに知らせなければならない。または、ｅＮＢは、自セルがセル形成またはセル形成解除を完了したことを隣接ｅＮＢに知らせなければならない。以下、セル形成は、セルの主カバレッジは変わらずに維持されるが、セルの境界は、負荷要求によって調整されることができることを意味する。セル形成解除は、セルのカバレッジが原カバレッジへ戻ることを意味する。即ち、セル形成は、図１１−（ａ）から図１１−（ｂ）への動作であり、セル形成解除は、図１１−（ｂ）から図１１−（ａ）への動作である。
【０１１３】
図１２は、本発明の一実施例に係るセル形成指示を送信する方法の一例を示す。
【０１１４】
図１２−（ａ）を参照すると、ステップＳ１００において、ｅＮＢ１は、セル形成を実行することを決定してセル形成を実行する。ステップＳ１０１において、ｅＮＢ１は、セル形成を実行したことを指示するセル形成指示を送信する。したがって、ｅＮＢ１は、自分がセル形成を完了したことをｅＮＢ２に知らせることができる。
【０１１５】
図１２−（ｂ）を参照すると、ステップＳ１１０において、ｅＮＢ１は、セル形成を実行することを決定する。ステップＳ１１１において、ｅＮＢ１は、セル形成を実行することを指示するセル形成指示を送信する。したがって、ｅＮＢ１は、セル形成決定をした後にセル形成の計画をｅＮＢ２に知らせることができる。ステップＳ１１２において、ｅＮＢ１は、セル形成を実行する。
【０１１６】
図１３は、本発明の一実施例に係るセル形成解除指示を送信する方法の一例を示す。
【０１１７】
図１３−（ａ）を参照すると、ステップＳ２００において、ｅＮＢ１は、セル形成解除を実行することを決定してセル形成解除を実行する。ステップＳ２０１において、ｅＮＢ１は、セル形成解除を実行したことを指示するセル形成解除指示を送信する。したがって、ｅＮＢ１は、自分がセル形成解除を完了したことをｅＮＢ２に知らせることができる。
【０１１８】
図１３−（ｂ）を参照すると、ステップＳ２１０において、ｅＮＢ１は、セル形成解除を実行することを決定する。ステップＳ２１１において、ｅＮＢ１は、セル形成解除を実行することを指示するセル形成解除指示を送信する。したがって、ｅＮＢ１は、セル形成解除決定をした後にセル形成解除の計画をｅＮＢ２に知らせることができる。ステップＳ２１２において、ｅＮＢ１は、セル形成解除を実行する。
【０１１９】
また、ｅＮＢがセル形成解除を決定した直後に隣接ｅＮＢからハンドオーバ要求メッセージを受信した場合、ｅＮＢは、ハンドオーバ失敗を防止するためにハンドオーバ要求を拒絶する必要があり、隣接ｅＮＢに適切な拒絶理由を知らせるべき必要がある。
【０１２０】
図１４は、本発明の一実施例に係るハンドオーバ手順を拒絶する方法の一例を示す。
【０１２１】
図１４−（ａ）によると、ステップＳ３００において、ｅＮＢ１は、セル形成解除を実行することを決定する。ステップＳ３０１において、ｅＮＢ２はハンドオーバを決定し、それによって、ステップＳ３０２において、ハンドオーバ要求メッセージをｅＮＢ１に送信する。即ち、ｅＮＢ１は、セル形成解除を実行することを決定した直後にｅＮＢ２からハンドオーバ要求メッセージを受信する。したがって、ステップＳ３０３において、ｅＮＢ１は、ハンドオーバ用意失敗メッセージをｅＮＢ２に送信する。このとき、ターゲットセル（例えば、ｅＮＢ１のセル）がセル形成解除を計画していることを指示する原因情報が共に送信されることができる。ステップＳ３０４において、ｅＮＢ１は、セル形成解除を実行する。ステップＳ３０５において、ｅＮＢ１は、セル形成解除を実行したことを指示するセル形成解除指示を送信する。したがって、ｅＮＢ１は、自分がセル形成解除を完了したことをｅＮＢ２に知らせることができる。
【０１２２】
図１４−（ｂ）によると、ステップＳ３１０において、ｅＮＢ１は、セル形成解除を実行することを決定する。ステップＳ３１１において、ｅＮＢ２はハンドオーバを決定し、それによって、ステップＳ３１２において、ハンドオーバ要求メッセージをｅＮＢ１に送信する。即ち、ｅＮＢ１は、セル形成解除を実行することを決定した直後にｅＮＢ２からハンドオーバ要求メッセージを受信する。したがって、ステップＳ３１３において、ｅＮＢ１は、ハンドオーバ用意失敗メッセージをｅＮＢ２に送信する。このとき、ターゲットセル（例えば、ｅＮＢ１のセル）がセル形成解除を計画していることを指示する原因情報が共に送信されることができる。ステップＳ３１４において、ｅＮＢ１は、セル形成解除を実行することを指示するセル形成解除指示を送信する。したがって、ｅＮＢ１は、セル形成解除決定をした後にセル形成解除の計画をｅＮＢ２に知らせることができる。ステップＳ３１５において、ｅＮＢ１は、セル形成解除を実行する。
【０１２３】
図１５は、本発明の実施例が具現される無線通信システムのブロック図である。
【０１２４】
第１のｅＮＢ８００は、プロセッサ（ｐｒｏｃｅｓｓｏｒ）８１０、メモリ（ｍｅｍｏｒｙ）８２０及びＲＦ部（ｒａｄｉｏ  ｆｒｅｑｕｅｎｃｙ  ｕｎｉｔ）８３０を含むことができる。プロセッサ８１０は、本明細書で説明された機能、過程及び／または方法を具現するように構成されることができる。無線インターフェースプロトコルの階層は、プロセッサ８１０により具現されることができる。メモリ８２０は、プロセッサ８１０と連結され、プロセッサ８１０を駆動するための多様な情報を格納する。ＲＦ部８３０は、プロセッサ８１０と連結され、無線信号を送信及び／または受信する。
【０１２５】
第２のｅＮＢ９００は、プロセッサ９１０、メモリ９２０及びＲＦ部９３０を含むことができる。プロセッサ９１０は、本明細書で説明された機能、過程及び／または方法を具現するように構成されることができる。無線インターフェースプロトコルの階層は、プロセッサ９１０により具現されることができる。メモリ９２０は、プロセッサ９１０と連結され、プロセッサ９１０を駆動するための多様な情報を格納する。ＲＦ部９３０は、プロセッサ９１０と連結され、無線信号を送信及び／または受信する。
【０１２６】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部８３０、９３０は、無線周波数信号を処理するためのベースバンド回路を含むことができる。実施例がソフトウェアで具現される時、前述した技法は、前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段でプロセッサ８１０、９１０と連結されることができる。
【０１２７】
前述した例示的なシステムにおいて、前述した本発明の特徴によって具現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
0006441925.tif 000004
【図２】
0006441925.tif 000005
【図３（ａ）】
0006441925.tif 000006
【図３（ｂ）】
0006441925.tif 000007
【図４】
0006441925.tif 000008
【図５】
0006441925.tif 000009
【図６】
0006441925.tif 000010
【図７】
0006441925.tif 000011
【図８】
0006441925.tif 000012
【図９】
0006441925.tif 000013
【図１０】
0006441925.tif 000014
【図１１】
0006441925.tif 000015
【図１２】
0006441925.tif 000016
【図１３】
0006441925.tif 000017
【図１４】
0006441925.tif 000018
【図１５】
0006441925.tif 000019